(57)【特許請求の範囲】
【請求項１】
室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線のN相から取り込み、前記室内機のシリアル通信回路の電源を前記中性線の反対側のL相から取り込んで制御することを特徴とするセパレート形空気調和機の制御回路。
【請求項２】
室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線の反対側のL相から取り込み、前記室内機のシリアル通信回路の電源を前記中性線のN相から取り込んで制御することを特徴とするセパレート形空気調和機の制御回路。
【請求項３】
前記制御回路が、前記ゼロクロス回路の電源を供給してから所定時間後に、前記室内機の運転状態が正常か否かを判断し、正常な時に前記シリアル通信回路の動作に移行することを特徴とする請求項1又は２のいずれかに記載のセパレート形空気調和機の制御回路。
【請求項４】
前記制御回路が前記シリアル通信回路にリレーを具備し、前記ゼロクロス回路の電源を供給してから所定時間後に、前記室内機の運転状態が正常か否かを判断し、正常な時に前記リレーを動作させて前記シリアル通信回路の動作に移行することを特徴とする請求項1に記載のセパレート形空気調和機の制御回路。
【発明の詳細な説明】
【０００１】
【発明の属する技術分野】
この発明は、商用電源の中性線に流れ込む直流成分電流を抑制するセパレート形空気調和機の制御回路に関するものである。
【０００２】
【従来の技術】
従来のセパレート形空気調和機の制御回路を図６，７，８を用いて説明する。まず、この図６に示すように、空調機の室外機（１０１）の室外端子台（１０３）と室内機（１１２）の室内端子台（１１３）が室内外接続線（１１１）で接続されているため、ＡＣ電源（１０２）が室外機（１０１）に供給されると共に、室内機（１１２）の室内端子台（１１３）にもＡＣ電源（１０２）が供給されるため、まず、室外機側（１０１）ではその供給ＡＣ電源（１０２）から室外制御用電源（１０４）で低電圧の制御用電源が作り出され、その制御用電源によって室外マイクロコンピュータ（１０５）が動作すると共に、室内機側（１１２）でも同様に、その供給ＡＣ電源（１０２）から室内制御電源（１２０）で制御用電源が作り出され、室内マイクロコンピュータ（１３４）を動作させる。
【０００３】
次に、この動作によって、商用電源は室内チョークコイル（１１６）でノイズ除去された後、ＡＣ電源（１０２）の中性線の反対側のＬ相、即ち、室内機（１１２）の室内端子台（１１３）の２番に接続された室内半波整流ダイオード（１２１）で半波整流されたＡＣ電流となり、更に、室内制限電流抵抗（１２２）で室内ゼロクロスフォトカプラ（１２３）のフォトダイオードを壊さない程度の電流に制限して室内ゼロクロスフォトカプラ（１２３）に送信される。
【０００４】
次に、この制限電流を受信した室内ゼロクロスフォトカプラ（１２３）はそのフォトダイオードをＯＮ／ＯＦＦ動作させて、室内マイクロコンピュータ（１３４）のゼロクロス入力側にその信号を送信するので、室内マイクロコンピュータはその信号を処理する。
また、この時、室内ゼロクロスフォトカプラ（１２３）を通過した電流はＡＣ電源（１０２）の中性線のＮ相、即ち、室内機（１１２）の室内端子台（１１３）のＮ番に戻る。以上が商用電源取り込みのゼロクロス回路の構成と動作である。
【０００５】
次に、シリアル通信回路の構成と動作につて説明する。
まず、シリアル通信回路においては、室内マイクロコンピュータ（１３４）のシリアル信号送信ポートより、シリアル信号であるＯＮ／ＯＦＦ信号が室内通信送信トランジスタ（１３２）に送信されるので、室内通信送信トランジスタ（１３２）がＯＮ／ＯＦＦ動作し、このＯＮ／ＯＦＦ動作によって、室内通信送信フォトカプラ（１３１）のフォトダイオードがＯＮ／ＯＦＦし、更に、このＯＮ／ＯＦＦ動作によって室内通信送信フォトカプラ（１３１）のフォトトランジスタがＯＮ／ＯＦＦする。
【０００６】
次に、このフォトトランジスタのＯＮ／ＯＦＦによって、ＡＣ電源（１０２）の中性線とは反対側のＬ相、即ち、室内機（１１２）の室内端子台（１１３）の２番から供給された電源を室内通信半波整流ダイオード（１２４）がＡＣ電源（１０２）を半波整流し、この半波整流されたＡＣ電源は室内通信受信フォトカプラ（１３３）を壊さない程度の電流にする室内シリアル制限電流抵抗（１２５）を通過し、室内ツェナーダイオード（１２６）で非絶縁の直流電源となる。
【０００７】
次に、この直流電源の電圧・電流は室内通信送信フォトカプラ（１３１）のＯＮ／ＯＦＦによって、室内と室外の通信シリアル信号となり、室内通信送信フォトカプラ（１３１）から室内通信受信フォトカプラ（１３３）へ送信され、それを受信した室内通信受信フォトカプラ（１３３）は更に室内通信ダイオード（１２９）へ送信するので、それを受信した室内通信ダイオード（１２９）はＰＴＣサーミスタ（１３０）を介して更に室内端子台（１１３）の３番へ送信する。
【０００８】
次に、このシリアル信号を受信した室内端子台（１１３）は、その信号を室内外接続線（１１１）によって室外端子台（１０３）の３番に送信するので、その結果、そのシリアル信号は室外ダイオード（１０７）を介して室外制限電流抵抗（１０８）から室外通信受信フォトカプラ（１０６）に送信される。
【０００９】
次に、このシリアル信号を室外通信受信フォトカプラ（１０６）が受信すると、そのシリアル信号を一方では室外通信送信フォトカプラ（１１０）へ送信すると共に、他方では、そのシリアル信号によってそれ自体のフォトダイオーがＯＮ／ＯＦＦ動作した結果を室外マイクロコンピュータ（１０５）の受信ポートへ送信する。
【００１０】
その結果、室外マイクロコンピュータ（１０５）はその入力されたシリアル信号を解析し、その解析結果を制御信号に置き換えて、空調機の室外機（１０１）の動作を制御すると共に、その制御結果、即ちＯＮ／ＯＦＦ信号を該室外マイクロコンピュータ（１０５）の送信ポートから室外通信送信トランジスタ（１０９）を介して室外通信送信フォトカプラ（１１０）へ送信するため、室外通信送信フォトカプラ（１１０）のフォトダイオードはその送信結果に基づいてＯＮ／ＯＦＦ動作し、このＯＮ／ＯＦＦ動作によってシリアル信号をＡＣ電源（１０２）のＮ相（中性線）に同調させる。
【００１１】
次に、この同調したシリアル信号を室外通信送信フォトカプラ（１１０）から室外端子台（１０３）のＮ番に送信するので、そのシリアル信号を室内外接続線（１１１）を介して受信した室内端子台（１１３）のＮ番が、そのシリアル信号を室内ツェナーダイオード（１２６）へ送信する。
【００１２】
次に、室内ツェナーダイオード（１２６）はそのシリアル信号を室内通信送信フォトカプラ（１３１）に送信するので、室内ツェナー電圧安定用電解コンデンサ（１２７）のマイナス側（−側）はシリアル通信回路の基準グランドが室外機（１０１）からのシリアル信号のＯＮ／ＯＦＦによりＯＮ／ＯＦＦし、その結果、室内通信送信フォトカプラ（１３１）のフォトトランジスタもＯＮ／ＯＦＦする。
また、この時、室内通信送信フォトカプラ（１３１）はシリアル信号を室内通信送信フォトカプラ（１３３）へ送信するので、室内通信送信フォトカプラ（１３３）のフォトダイオードもＯＮ／ＯＦＦする。
【００１３】
従って、このフォトダイオードのＯＮ／ＯＦＦによって室内マイクロコンピュータ（１３４）の受信ポートがＨｉ／Ｌｏになるため、室内マイクロコンピュータ（１３４）がシリアル信号を受信し、解析を行い、その解析結果を新たなシリアル信号として室内マイクロコンピュータ（１３４）の送信ポートから送信し、空調機の室外機（１０１）と室内機（１１２）とのシリアル通信制御を行なう。
【００１４】
以上説明したように、ゼロクロス回路とシリアル通信回路の半波整流側の商用電源を共にＡＣ電源（１０２）の中性線とは反対側のＬ相から取り込むため、半波整流側の直流成分電流が互いに加算され、和の電流値で、ＡＣ電源の中性線のＮ相に戻るので、大きな直流成分電流が流れ込む。    なお、このことはマルチ機種の室外機の受電機種についても同じである。
【００１５】
また、図７、８にその他の従来セパレート形空気調和機の制御回路図を示す。
なお、これらの図は発明の図２、３と対応させるための従来図である。
【００１６】
【発明が解決しようとする課題】
以上説明したように、従来のセパレート形空気調和機の制御回路は、商用電源(ＡＣ)の周波数を半波整流で検出し、室内機と室外機のシリアル通信が開始された場合、商用電源の中性線に商用電源（ＡＣ）の半波整流分の直流成分電流とシリアル通信による半波整流分の直流成分電流が流れ込んでしまう問題点があった。
【００１７】
この発明は、上記のような課題を解消するためになされたもので、商用電源の中性線に過大な直流成分電流が流れ込むのを抑制することを目的とする。
【００１８】
【課題を解決するための手段】
この発明においては、室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線のN相から取り込み、前記室内機のシリアル通信回路の電源を前記中性線の反対側のL相から取り込んで制御するものである。
【００１９】
また、室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線の反対側のL相から取り込み、前記室内機のシリアル通信回路の電源を前記中性線のN相から取り込んで制御するものである。
【００２０】
また、前記制御回路が、前記ゼロクロス回路の電源を供給してから所定時間後に、前記室内機の運転状態が正常か否かを判断し、正常な時に前記シリアル通信回路の動作に移行するものである。
【００２１】
また、前記制御回路が前記シリアル通信回路にリレーを具備し、前記ゼロクロス回路の電源を供給してから所定時間後に、前記室内機の運転状態が正常か否かを判断し、正常な時に前記リレーを動作させて前記シリアル通信回路の動作に移行するものである。
【００２２】
【発明の実施の形態】
実施の形態１．
この発明の実施の形態１における構成、動作について図１を用いて説明する。まず、この図に示すように、空調機の室外機（４０１）の室外端子台（４０３）と室内機（４１２）の室内端子台（４１３）を、室内外接続線（４１１）で接続してＡＣ電源（４０２）を室外機（４０１）に供給すると、室外端子台（４０３）のＮ番と２番から出力されたＡＣ電源（４０２）は室内外接続線（４１１）を介して、室内端子台（４１３）のＮ番と２番に供給され、室内機（４１２）に供給され、室内機（４１２）の室内制御用電源（４２０）で低電圧に変換され、室内制御電源となり、室内マイクロコンピュータ（４３４）を動作させる。
なお、この時、室外機側（４０１）においても同様に、室外制御用電源（４０４）で低電圧に変換され、室外制御電源となり、室外マイクロコンピュータ（４０５）を動作させる。
【００２３】
次に、室内制御電源によって室内マイクロコンピュータ（４３４）が動作すると、商用電源であるＡＣ電源（４０２）は室内チョークコイル（４１６）でノイズ除去されたＡＣ電源（４０２）となり、中性線のＮ相、即ち室内機（４１２）の室内端子台（４１３）のＮ番に接続された室内半波整流ダイオード（４２１）によって半波整流された後、室内制限電流抵抗（４１２）へ流れ、ここで、室内ゼロクロスフォトカプラ（４２３）のフォトダイオードを壊さない程度の電流に制限された後、室内ゼロクロスフォトカプラ（４２３）へ送られる。
【００２４】
その結果、室内ゼロクロスフォトカプラ（４２３）のフォトダイオードがそのフォトトランジスタをＯＮ／ＯＦＦ動作させると共に、このＯＮ／ＯＦＦ信号を室内マイクロコンピュータ（４３４）のゼロクロス入力端子へ送るので、室内マイクロコンピュータはその動作信号に基づいて室内機の動作を制御する。
なお、この時、室内ゼロクロスフォトカプラ（４２３）を通過した制限電流はＡＣ電源（４０２）の中性線とは反対側のＬ相（室内機の室内端子台の２番）に戻る。以上が半波整流で商用電源の周波数を検出するゼロクロス回路の構成と動作である。
【００２５】
次に、シリアル通信回路の構成と動作を説明する。
まず、シリアル信号を受信した室内マイクロコンピュータ（４３４）はその送信ポートより、室内通信送信トランジスタ（４３２）をＯＮ／ＯＦＦさせるシリアル信号を送信し、シリアル通信回路を動作させるので、次に、この室内通信送信トランジスタ（４３２）に接続された室内通信送信フォトカプラ（４３１）のフォトダイオードがＯＮ／ＯＦＦし、それに伴って、そのフォトトランジスタもＯＮ／ＯＦＦする。
【００２６】
また、このフォトトランジスタのＯＮ／ＯＦＦ動作によって、ＡＣ電源（４０２）の中性線とは反対側のＬ相から供給された電源は室内通信半波整流ダイオード（４２４）によって半波整流され、更に、室内シリアル制限電流抵抗（４２５）で、室内通信送信フォトカプラ（４３１）と室内通信受信フォトカプラ（４３３）を壊さない程度の電流に制限した後、室内ツェナーダイオード（４２６）で非絶縁の直流電源へ変換される。
【００２７】
次に、この変換された直流電源の電圧・電流は室内通信送信フォトカプラ（４３１）のＯＮ／ＯＦＦによって、室内と室外の通信信号であるシリアル信号となり、このシリアル信号は室内通信受信フォトカプラ（４３３）を介して室内通信ダイオード（４２９）へ送信され、その後更に、ＰＴＣサーミスタ（４３０）を介して室外端子台（４０３）の３番と接続された室内端子台（４１３）の３番へ送信される。
【００２８】
次に、この室外端子台（４０３）の３番に送信されたシリアル信号は室外ダイオード（４０７）を介して室外制限電流抵抗（４０８）へ送信され、ここで、室外通信フォトカプラ（４０６）のフォトダイオードを壊さない程度の電流に制限した後、室外通信受信フォトカプラ（４０６）を介して室外通信送信フォトカプラ（４１０）へ送信される。
【００２９】
その結果、室外通信受信フォトカプラ（４０６）のフォトダイオードがＯＮ／ＯＦＦするので、そのフォトトランジスタもＯＮ／ＯＦＦし、このＯＮ／ＯＦＦ信号が室外マイクロコンピュータ（４０５）の受信ポートへ入力されるため、室外マイクロコンピュータ（４０５）はその受信したシリアル信号を解析し、その解析結果から制御信号を作り出し、室外機（４０１）の動作を制御すると共に、その制御内容を送信ポートからシリアル信号（ＯＮ／ＯＦＦ信号）として室外通信送信トランジスタ（４０９）を介して室外通信送信フォトカプラ（４１０）へ送信されるので、その結果、室外通信送信フォトカプラ（４１０）のフォトダイオードがＯＮ／ＯＦＦすると共に、そのフォトトランジスタもＯＮ／ＯＦＦする。
【００３０】
従って、この室外通信送信トランジスタ（４０９）から室外通信送信フォトカプラ（４１０）へ送・受信されたＯＮ／ＯＦＦ信号と、前述した室外通信受信フォトカプラ（４０６）から受信したシリアル信号とがN相と接続された室外通信送信フォトカプラ（４１０）で同調される。言い換えれば、ＡＣ電源（４０２）のＬ相とＮ相（ＡＣ電源の中性線）とのシリアル信号がここで同調される。
【００３１】
次に、この同調されたシリアル信号は室外通信送信フォトカプラ（４１０）から室外端子台（４０３）のＮ番に送信されるので、この室外端子台（４０３）のＮ番に接続された室内端子台（４１３）のＮ番へ送信されるので、このＮ番の室内端子台（４１３）と接続された室内ツェナーダイオード（４２６）を介して室内通信送信フォトカプラ（４３１）へ送信される。
その結果、室内ツェナー電圧安定用電解コンデンサ（４２７）のマイナス側のシリアル通信回路基準グランドも室外機（４０１）からのＯＮ／ＯＦＦシリアル信号によってＯＮ／ＯＦＦするので、室内通信送信フォトカプラ（４３１）のフォトトランジスタがＯＮ／ＯＦＦし、そのフォトダイオードもＯＮ／ＯＦＦする。
【００３２】
次に、このフォトダイオードのＯＮ／ＯＦＦによって室内マイクロコンピュータ（４３４）の受信ポートがＨｉ／Ｌｏとなるので、室内マイクロコンピュータ（４３４）がシリアル信号の解析を行い、新たなシリアル信号を室内マイクロコンピュータ（４３４）の送信ポートから送信する。
【００３３】
以上説明したように、室内機と室外機のシリアル通信回路の電源を商用電源(ＡＣ)のN相反対側のL相から取り込み、半波整流で商用電源の周波数を検出するゼロクロス回路の電源を商用電源(ＡＣ)の中性線であるN相より取り込むようにしたので、互いの直流成分電流が互いに加算されず、和の値となって流れず、それぞれ商用電源の各相に流れるようになるため、高調波に起因して発生する各機器の誤作動を防止した信頼性の高いセパレート形空気調和機の制御回路が得られる。
【００３４】
その他の実施例．
この実施の形態１のその他の実施例の構成及び動作を図２を用いて説明する。まず、この図に示すように、空調機の室外機（５０１）の室外端子台（５０３）と室内機（５１２）の室内端子台（５１３）を、室内外接続線（５１１）で接続して室内機（５１２）に供給すると、室内端子台（５１３）のＮ番とＬ番から出力されたＡＣ電源（５０２）は、室内制御電源（５２０）で低電圧に変換され、室内制御電源となり、室内マイクロコンピュータ（５３４）を動作させる。
【００３５】
次に、室内制御電源によって室内マイクロコンピュータ（５３４）が動作すると、商用電源であるＡＣ電源は室内チョークコイル（５１６）でノイズ除去されたＡＣ電源（５０２）となり、中性線のＮ相、即ち室内機（５１２）の室内端子台（５１３）のＮ番に接続された室内半波整流ダイオード（５２１）で半波整流されてから室内制限電流抵抗（５２２）へ流れ、ここで、室内ゼロクロスフォトカプラ（５２３）のフォトダイオードを壊さない程度の電流に制限した後、ゼロクロスフォトカプラ（５２３）に送れる。その結果、室内ゼロクロスフォトカプラ（５２３）のフォトダイオードがそのフォトトランジスタをＯＮ／ＯＦＦ動作させると共に、室内マイクロコンピュータ（５３４）のゼロクロス入力にその信号が入るので、室内マイクロコンピュータはその動作信号に基づいて室内機を制御する。
なお、この時、室内ゼロクロスフォトカプラ（５２３）を通過した電流はＡＣ電源（５０２）の中性線とは反対側のＬ相、即ち、室内機（５１２）の室内端子台（５１３）のＬ番に戻る。以上が半波整流で商用電源の周波数を検出するゼロクロス回路の構成と動作である。
【００３６】
次に、シリアル通信回路について説明する。
まず、このシリアル通信回路においては、室内マイクロコンピュータ（５３４）のシリアル信号送信ポートより、室内通信送信トランジスタ（５３２）をＯＮ／ＯＦＦさせる信号を送信し、動作させるので、この室内通信送信トランジスタ（５３２）と接続された室内通信送信フォトカプラ（５３１）のフォトダイオードがＯＮ／ＯＦＦし、それに伴って室内通信送信フォトカプラ（５３１）のフォトトランジスタもＯＮ／ＯＦＦする。
【００３７】
しかし、この時点では、図中の５２Ｃリレー（５３５）がＯＮしていないため、ＡＣ電源（５０２）の中性線とは反対側のＬ相、即ち、室内機（５１２）の室内端子台（５１３）のＬ番にＡＣ電源が供給されていないので、シリアル通信回路は動作しない状態で（例えば、３分間）待機する。
【００３８】
次に、室内マイクロコンピュータ（５３４）がシリアル通信開始条件を満足したと判断した場合、言い換えれば、ＡＣ電源（５０２）の供給後３分以上経過して正常運転であると判断した場合、室内マイクロコンピュータ（５３４）は５２Ｃリレー駆動用トランジスタ（５３６）へＯＮ信号を送信し、５２ＣリレーをＯＮにするので、ＡＣ電源（５０２）の中性線とは反対側のＬ相が、空調機の室内機（５１２）の室内端子台（５１３）の２番から室内外接続線（５１１）を経由して空調機の室外機（５０１）の室外端子台（５０３）の２番と接続され、ＡＣ電源（５０２）が空調機の室外機（５０１）に供給される。
【００３９】
次に、この室外機（５０１）に供給されたＡＣ電源（５０２）は室外制御電源（５０４）に供給され、室外マイクロコンピュータ（５０５）が作動して室外機を動かす。また、これと同時に、空調機の室内機（５１２）のシリアル通信回路にもＡＣ電源（５０２）が供給される。
しかし、この時点では、前述した室内マイクロコンピュータ（５３４）のシリアル信号によって室内通信送信トランジスタ（５３２）がＯＮ／ＯＦＦし、かつ、室内通信送信フォトカプラ（５３１）のフォトトランジスタもＯＮ／ＯＦＦしているので、これに次の動作が加わる。
【００４０】
即ち、室内機（５１２）の室内端子台（５１３）のＬ番から供給された電源が室内通信半波整流ダイオード（５２４）で半波整流された後、室内シリアル制限電流抵抗（５２５）で室内通信送信フォトカプラ（５３１）と室内通信受信フォトカプラ（５３３）を壊さない程度の電流に制限された後、室内ツェナーダイオード（５２６）で非絶縁の直流電源になり、室内通信送信フォトカプラ（５３１）のＯＮ／ＯＦＦ動作によって、室内と室外のシリアル通信信号となり、室内通信受信フォトカプラ（５３３）を介して室内通信ダイオード（５２９）へ送信され、その後、室内シリアル制限抵抗２（５３０）を介して室内端子台（５１３）の３番へ送信される。
【００４１】
次に、この室内端子台（５１３）と接続された室外機（５０１）の室外端子台（５０３）の３番にシリアル信号が送られるので、室外ダイオード（５０７）を介して室外制限電流抵抗（５０８）へ送信され、その後更に、室外通信受信フォトカプラ（５０６）を介して室外通信送信フォトカプラ（５１０）へ送信されるので、その結果、室外通信受信フォトカプラ（５０６）のフォトダイオードがＯＮ／ＯＦＦすると共に、そのフォトトランジスタもＯＮ／ＯＦＦする。
【００４２】
次に、このフォトトランジスタがＯＮ／ＯＦＦに伴って、室外マイクロコンピュータ（５０５）の受信ポートにＯＮ／ＯＦＦ信号が入力されるので、室外マイクロコンピュータ（５０５）は入力結果を解析し、制御信号に置き換えて、室外機（５０１）を動作させるので、室外機（５０１）からのシリアル信号として室外通信送信トランジスタ（５０９）へＯＮ／ＯＦＦ信号が送信され、室外通信送信フォトカプラ（５１０）のフォトダイオードがＯＮ／ＯＦＦし、そのフォトトランジスタもＯＮ／ＯＦＦするので、このＯＮ／ＯＦＦによって、室外通信送信フォトカプラ（５１０）が室外通信受信フォトカプラ（５０６）から受信したシリアル信号と、そのフォトトランジスタのＯＮ／ＯＦＦとによってシリアル信号をＡＣ電源（５０２）のＮ相に同調させる。
【００４３】
次に、この同調させたシリアル信号を室外通信送信フォトカプラ（５１０）から室外端子台（５０３）のＮ番に送信され、室内端子台（５１３）のＮ番が受信し、室内ツェナーダイオード（５２６）へ送信されるので、室内ツェナー電圧安定用電解コンデンサ（５２７）のマイナス側（−側）がシリアル通信回路の基準グランドもシリアル信号によってＯＮ／ＯＦＦし、これにより室内通信送信フォトカプラ（５３３）のフォトトランジスタがＯＮ／ＯＦＦし、そのフォトダイオードもＯＮ／ＯＦＦする。
【００４４】
その結果、室内マイクロコンピュータ（５３４）の受信ポートがＨｉ／Ｌｏとなるため、室内マイクロコンピュータ（５３４）がシリアル信号を受信して解析を行い、新たなシリアル信号をその送信ポートから送信する。
【００４５】
以上説明したように、室内マイクロコンピュータが室内機の運転状態を確認してから、室内機と室外機のシリアル通信回路の電源を商用電源(ＡＣ)のN相反対側のL相から取り込み、半波整流で商用電源の周波数を検出するゼロクロス回路の電源を商用電源(ＡＣ)の中性線であるN相より取り込むようにしたので、室内機の運転状態を確認してから互いの直流成分電流が加算されず、和の値となって流れず、それぞれ商用電源の各相に流れるようになるため、高調波に起因して発生する各機器の誤作動を防止した信頼性の高いセパレート形空気調和機の制御回路が得られる。
【００４６】
また、図３は室外機（６０１）と室内機（６１２）の商用電源が別々に設けられた時の制御回路である。なお、このようにすると、各室内機（６１２）へ商用電源を供給する供給用配線が不要になる。
【００４７】
実施の形態２．
この実施の形態２の構成及び動作を図４で説明する。
まず、この図に示すように、空調機の室外機（８０１）の室外端子台（８０３）と室内機（８１２）の室内端子台（８１３）を室内外接続線（８１１）で接続して、ＡＣ電源（８０２）を室外機（８０１）へ供給すると、室外端子台（８０３）のＮ番と２番から出力されたＡＣ電源（８０２）は室内外接続線（８１１）を伝わり、室内端子台（８１３）のＮ番と２番に供給されるので、室外機側では、室外制御電源（８０４）で制御用電源が作り出され、室外マイクロコンピュータ（８０５）が動作し、同様に、室内機側でも、室内制御電源（８２０）で制御用電源が作り出され、室内マイクロコンピュータ（８３４）が動作する。
【００４８】
次に、この室内マイクロコンピュータ（８３４）が動作すると、商用電源であるAC電源は室内チョークコイル（８１６）でノイズ除去されたＡＣ電源（８０２）となり、中性線とは反対側のＬ相、即ち、室内機（８１２）の室内端子台（８１３）の２番に接続された室内半波整流ダイオード（８２１）で半波整流された後、更に、室内ゼロクロスフォトカプラ（８２３）へ送信される。
【００４９】
その結果、室内ゼロクロスフォトカプラ（８２３）のフォトトランジスタがＯＮ／ＯＦＦ動作し、このＯＮ／ＯＦＦ動作信号が室内マイクロコンピュータ（８３４）のゼロクロス入力に入るので、室内マイクロコンピュータはその信号に基づいて室内機の動作を制御する。
なお、室内ゼロクロスフォトカプラ（８２３）を通過した電流はＡＣ電源（８０２）の中性線のＮ相、即ち、室内機（８１２）の室内端子台（８１３）のＮ番へ戻る。以上がゼロクロス回路の構成と動作である。
【００５０】
次に、以上のゼロクロス回路の動作によってシリアル信号を受信した室内マイクロコンピュータ（８３４）はシリアル通信を開始する。
即ち、室内マイクロコンピュータ（８３４）はそのシリアル信号を送信ポートから室内通信送信トランジスタ（８３２）へ送信し、そのトランジスタ（８３２）を動作させるので、この室内通信送信トランジスタ（８３２）に接続された室内通信送信フォトカプラ（８３１）のフォトダイオードがＯＮ／ＯＦＦし、それに伴って、そのフォトトランジスタもＯＮ／ＯＦＦする。
【００５１】
次に、このフォトトランジスタのＯＮ／ＯＦＦによって、ＡＣ電源（８０２）の中性線のＮ相から供給された電源は室内通信半波整流ダイオード（８２４）によって半波整流され、更に、室内シリアル制限電流抵抗（８２５）で、室内通信送信フォトカプラ（８３１）と室内通信受信フォトカプラ（８３３）を壊さない程度の電流に制限された後、室内ツェナーダイオード（８２６）で非絶縁の直流電源に変換される。
【００５２】
次に、この変換された直流電源の電圧・電流は室内通信送信フォトカプラ（８３１）のＯＮ／ＯＦＦによって、室内と室外の通信信号であるシリアル信号となり、室内通信受信フォトカプラ（８３３）を介して室内通信ダイオード（８２９）へ送信され、その後更に、ＰＴＣサーミスタ（８３０）を介して室外端子台（８０３）の３番と接続された室内端子台（８１３）の３番へ送信される。
【００５３】
次に、室内端子台（８１３）から室外端子台（８０３）の３番へ送信されたシリアル信号は室外ダイオード（８０７）を介して室外制限電流抵抗（８０８）へ送信され、ここで、電流制限された後、室外通信受信フォトカプラ（８０６）を介して室外通信送信フォトカプラ（８１０）へ送信される。
【００５４】
その結果、室外通信受信フォトカプラ（８０６）のフォトダイオードとフォトトランジスタがＯＮ／ＯＦＦして、そのＯＮ／ＯＦＦ信号が室外マイクロコンピュータ（８０５）の受信ポートに入力されるので、それを室外マイクロコンピュータ（８０５）が解析し、その解析結果から制御信号を作り出し、室外機（８０１）の動作を制御すると共に、その制御内容を送信ポートからシリアル信号として室外通信送信トランジスタ（８０９）を介して室外通信送信フォトカプラ（８１０）へ送信する。
【００５５】
従って、この室外通信送信トランジスタ（８０９）からのシリアル信号と、前述した室外通信受信フォトカプラ（８０６）からのシリアル信号とが、L相と接続された室外通信送信フォトカプラ（８１０）で合流し、ここで、同調されることになる。
【００５６】
次に、この同調されたシリアル信号は室外通信送信フォトカプラ（８１０）から室外端子台（８０３）の２番から室内端子台（８１３）の２番に室内外接続線（８１１）を介して送信されので、この室内端子台（８１３）の２番に接続された室内ツェナーダイオード（８２６）へ送信され、その後、更に、シリアル信号は室内通信送信フォトカプラ（８３１）へ送信される。
その結果、室内ツェナー電圧安定用電解コンデンサ（８２７）のマイナス側（−側）のシリアル通信回路の基準グランドも室外機（８０１）からのＯＮ／ＯＦＦシリアル信号によってＯＮ／ＯＦＦするので、ことにより室内通信送信フォトカプラ（８３３）のフォトダイオードがＯＮ／ＯＦＦし、そのフォトダイオードがＯＮ／ＯＦＦする。
【００５７】
次に、このフォトダイオードのＯＮ／ＯＦＦによって室内マイクロコンピュータ（８３４）の受信ポートがＨｉ／Ｌｏになるため、室内マイクロコンピュータ（８３４）がシリアル信号を受信して解析を行い、新たなシリアル信号を室内マイクロコンピュータ（８３４）の送信ポートから送信するようになる。
以上のシリアル信号の流れで、室外機（８０１）と室内機（８１２）のシリアル通信が成立する。
【００５８】
以上説明したように、ゼロクロス回路の電源を商用電源の中性線とは反対側のＬ相より取り込み、シリアル通信回路の電源を商用電源の中性線のＮ相より取り込むようにしたので、互いの直流成分電流が互いに加算されず、和の値となって流れず、それぞれ商用電源の各相に流れるようになるため、高調波に起因して発生する各機器の誤作動を防止した信頼性の高いセパレート形空気調和機の制御回路が得られる。
【００５９】
実施の形態３．
この実施の形態３の構成、動作を図５のフローチャトで説明する。
なお、この実施の形態３は実施の形態１又は２において、そのゼロクロス回路動作からシリアス回路の動作へ移行する時、ゼロクロス回路状態における室内機が所定時間正常運転をしいるか否かを判断し、正常である時、ゼロクロス回路からシリアス回路の動作へ移行する構成、動作にしたものである。
【００６０】
まず、この図に示すように、空調機の室内機・室外機を据え付け、配線接続（７０１）が行なわれ、ＡＣ電源が投入（７０２）された後、室内機の試運転スイッチが押されたり、或いはリモコンで運転操作、即ちＯＮ信号が送信（７０３）され、運転されて３分経過（７０４）すると、室内機のマイクロコンピュータ（以下、室内マイコンと呼ぶ）が室内機の運転状態が正常か、異常か（７０５）を判断する。
【００６１】
次に、この判断結果で異常（ＮＯ）であれば、室内マイコンは異常表示、異常停止（アクチュエータ）、及び再起時間（例えば、３分間）のカンウト開始（７１０）指令を出すので、その間、異常表示・異常停止（アクチュエータ）・時間カンウト（７１０）が行なわれ、３分経過（７１１）すると、ステップ（７０５）に戻り、再度、室内マイコンが室内機の運転状態が正常か、異常かを判断し、再度ＮＯで有れば、同じ動作を繰り返す。
【００６２】
また、ステップ（７０５）で室内マイコンが正常（ＹＥＳ）であると判断すると、室内マイコンは室内シリアル通信送受信手段にシリアル信号の送信開始（７０６）を指示するので、室内シリアル信号送受信手段は室内・室外機の接続線を介してシリアル信号を室内・室外機のそれぞれに送信する。
【００６３】
次に、このシリアル信号によって室外機のマイクロコンピュータ（以下、室外マイコンと呼ぶ）は室外機の運転状態が正常か、異常か（７０７）を判断し、異常（ＮＯ）であれば、室外マイコンは室外シリアル送受信手段にその異常状態をシリアル信号で送信するので、室外シリアル送受信手段はそのシリアル信号異常停止（７０９）を室内シリアル信号送受信手段を介して室内マイコンへ送信する。
【００６４】
次に、そのシリアル信号異常停止（７０９）を受信した室内マイコンは異常表示、異常停止（アクチュエータ）、及び３分再起カンウト開始（７１０）の指令を出し、３分間経過（７１１）すると、ステップ（７０５）に戻り、室内マイコンが室内機の運転状態が正常か、異常かを判断し、ＮＯで有れば、前述と同様の動作を繰り返す。
【００６５】
なお、先述のステップ７０７で室外機の運転状態が正常（ＹＥＳ）であれば、室外マイコンはその内容を室内外接続線を介して室内マイコンへ送信するので、これを受信した室内マイコンは室内機の最新運転状態情報をシリアル信号で室外機へ送信するので、互いに運転状態を確認しながら運転が継続されると共に、リモコン等によって運転ＯＮ信号指令後、所定時間経過後にシリアル信号通信が開始されるため、最初の３分再起時には直流電流成分がゼロクロス回路のみに発生することになる。
【００６６】
以上のように、この発明においては、ゼロクロス回路動作からシリアス回路の動作へ移行する時、ゼロクロス回路状態における室内機が所定時間正常に運転をしているか否かを判断し、正常である時に、シリアス回路の動作へ移行するようにしたので、直流電流成分が電源投入後所定時間（例えば、３分）シリアス回路に発生しないため、無駄な電気を使うことなく、確実に通信できる経済的で、信頼性の高いセパレート形空気調和機の制御回路が得られる。
また、この方法によれば、実施の形態１のゼロクロス回路供給電源をわざわざ反対側に接続しなくとも、また、従来の制御回路においても、マイクロコンピュータのソフトウェアを変更するだけできるため、直流成分電流を抑制することができる。
【００６７】
【発明の効果】
以上説明したように、この発明は、室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線のN相から取り込み、前記室内機のシリアル通信回路の電源を前記中性線の反対側のL相から取り込んで制御するので、互いの直流成分電流が互いに加算されず、和の値となって流れず、それぞれ商用電源の各相に流れるようになるため、高調波に起因して発生する各機器の誤作動を防止した信頼性の高いセパレート形空気調和機の制御回路が得られる。
【００６８】
また、室外機と室内機との通信をシリアル信号で行い、該室外機と室内機の動作を制御するセパレート形空気調和機の制御回路において、前記室内機の商用電源の周波数を検出するゼロクロス回路の電源を前記商用電源の中性線の反対側のL相から取り込み、前記室内機のシリアル通信回路の電源を前記中性線のN相から取り込んで制御するので、互いの直流成分電流が互いに加算されず、和の値となって流れず、それぞれ商用電源の各相に流れるようになるため、高調波に起因して発生する各機器の誤作動を防止した信頼性の高いセパレート形空気調和機の制御回路が得られる。
【００６９】
また、前記制御回路が、前記ゼロクロス回路の電源を供給してから所定時間後に、前記室内機の運転状態が正常か否かを判断し、正常な時に前記シリアル通信回路の動作に移行するので、直流電流成分が電源投入後所定時間シリアス回路に発生しないため、無駄な電気を使うことなく、確実に通信できる経済的で、信頼性の高いセパレート形空気調和機の制御回路が得られる。
【００７０】
また、前記制御回路が前記シリアル通信回路にリレーを具備し、前記ゼロクロス回路の電源を供給してから所定時間後に、前記室内機の運転状態が正常か否かを判断し、正常な時に前記リレーを動作させて前記シリアル通信回路の動作に移行するので、直流電流成分が電源投入後所定時間（例えば、３分）シリアス回路に発生しないため、無駄な電気を使うことなく、確実に通信できる経済的で、信頼性の高いセパレート形空気調和機の制御回路が得られる。
【図面の簡単な説明】
【図１】  この発明の実施の形態１における概略構成図である。
【図２】  この発明の実施の形態１におけるその他の概略構成図である。
【図３】  この発明の実施の形態１におけるその他の概略構成図である。
【図４】  この発明の実施の形態２における概略構成図である。
【図５】  この発明の実施の形態３における概略構成図である。
【図６】  従来の概略構成図である。
【図７】  従来のその他の概略構成図である。
【図８】  従来のその他の概略構成図である。
【符号の説明】
４０１  室外機、  ４０２  AC電源、  ４０３  室外端子台、  ４０４  室外制御電源、  ４０５  室外マイクロコンピュータ、  ４０６  室外通信受信フォトカプラ、  ４０７  室外ダイオード、  ４０８  室外制限電流抵抗、  ４０９室外通信送信トランジスタ  ４１０  室外通信送信フォトカプラ、  ４１１  室内外接続線、  ４１３  室内端子台、  ４１６室内チョークコイル、  ４２０室内制御電源、  ４２１  室内半波整流ダイオード、  ４２２  室内制限電流抵抗、  ４２３  室内ゼロクロス、  ４２４  室内通信半波整流ダイオード、  ４２５  室内シリアル制限電流抵抗、  ４２６  室内ツェナーダイオード、  ４２７  室内ツェナー電圧安定コンデン、  ４２９  室内通信ダイオード、  ４３１  室内通信送信フォトカプラ、  ４３２  室内通信送信トランジスタ、  ４３３  室内通信受信フォトカプラ、  ４３４  室内マイクロコンピュータ。
【図１】
0004288831.tif 000002
【図２】
0004288831.tif 000003
【図３】
0004288831.tif 000004
【図４】
0004288831.tif 000005
【図５】
0004288831.tif 000006
【図６】
0004288831.tif 000007
【図７】
0004288831.tif 000008
【図８】
0004288831.tif 000009